(57)【要約】【課題】装着した吸収パッドを安定させて吸収パッドを快適に使用できるようにする吸収パッド用パンツ及び吸水パッド用パンツセットを提供する。【解決手段】男性性器Ｓを挿通させる挿通孔１６と、該挿通孔１６に挿通した前記男性性器Ｓに装着されて漏れた尿を吸収する吸収パッド４０、を固定する固定手段（面ファスナの雄側の部材１５）とを備える吸水パッド用パンツ１０。また、この吸水パッド用パンツ１０を、伸縮性を有する布地により形成してインナーパンツとし、吸水パッド用パンツ１０よりも伸縮性に劣る布地により形成され、使用者の下腹部を被覆する左右の布地２１，２２が腰周りから股間に渡って分離可能に構成されたアウターパンツ２０の内側に、前記インナーパンツを縫着した吸水パッド用パンツセット。【選択図】図１
2007117325.tif 000002
【特許請求の範囲】
【請求項１】
男性性器を挿通させる挿通孔と、
該挿通孔に挿通した前記男性性器に装着されて漏れた尿を吸収する吸収パッド、を固定する固定手段と
を備えることを特徴とする吸水パッド用パンツ。
【請求項２】
男性性器を挿通させる挿通孔と、該挿通孔に挿通した前記男性性器に装着されて漏れた尿を吸収する吸収パッド、を固定する固定手段とを備え、伸縮性を有する布地により形成された吸水パッド用パンツと、
該吸水パッド用パンツよりも伸縮性に劣る布地により形成され、前記吸水パッド用パンツがインナーパンツとして内側に縫着されると共に、使用者の下腹部を被覆する左右の布地が腰周りから股間に渡って分離可能に構成されたアウターパンツと
を備えることを特徴とする吸水パッド用パンツセット。
【発明の詳細な説明】
【技術分野】
【０００１】
本発明は、吸収パッド用パンツ及び吸水パッド用パンツセットに関するものであり、詳しくは、男性性器に装着されて漏れた尿を吸収する吸収パッドを快適に使用できるようにするための吸収パッド用パンツ及び吸水パッド用パンツセットに関するものである。
【背景技術】
【０００２】
前立腺の弱い男性等は尿漏れを起こし易いのであるが、男性性器に装着することで、漏れた尿を吸収することができるようにした男性用の吸収パッドがある。このような男性用の吸収パッドは、例えば、防水シートにより袋状に形成された袋体の内部に、吸水ポリマー等によって構成された吸収材を備えるものであり、袋体に男性性器を差し入れるようして装着されるものである。
【０００３】
【特許文献１】特開２００２−３３６２８５号公報
【発明の開示】
【発明が解決しようとする課題】
【０００４】
上述のような吸収パッドを装着しても、歩いたり座ったりする日常生活において、吸収パッドが男性性器から外れてしまったり、或いは、完全には外れなくても、外れ易い状態にずれてしまうことがある。また、男性性器に単に装着しただけの吸収パッドは不安定であり、ごわごわすることから、日常生活を営む際に、装着した吸収パッドにより不快感を生じる虞もある。なお、吸収パッドを装着した上から、ブリーフタイプのパンツやサポータータイプのパンツのような下腹部から臀部にかけてぴったりフィットするパンツを穿くことで、吸収パッドを安定させることもできるが、この場合には、パンツを穿く途中で、装着した吸収パッドがパンツに持ち上げられてずれ易く、吸収パッドを安定した状態のままでパンツを穿くことは、非常に面倒であるといった新たな問題を生じる。
【０００５】
本発明は、上記実状を鑑みてなされたものであり、装着した吸収パッドを安定させて吸収パッドを快適に使用できるようにする吸収パッド用パンツ及び吸水パッド用パンツセットの提供を課題とする。
【課題を解決するための手段】
【０００６】
上記課題を解決するために本発明の採った主要な手段は、
「男性性器を挿通させる挿通孔と、
該挿通孔に挿通した前記男性性器に装着されて漏れた尿を吸収する吸収パッド、を固定する固定手段と
を備えることを特徴とする吸水パッド用パンツ」
である。
【０００７】
ここで、固定手段としては、吸水パッド用パンツに対して吸水パッドを固定できるものであれば、その具体的な構成を特に限定するものではなく、面ファスナー、ホック、紐等、部材同士を相互に固定できる適宜の部材を用いて構成されたものを例示することができる。
【０００８】
上記構成の吸収パッド用パンツでは、固定手段によって吸収パッドが固定されることから、男性性器に装着された吸収パッドを安定させることができる。なお、この吸収パッド用パンツは、男性性器を挿通孔に挿通させて吸収パッド用パンツ自体の外部に露呈させるものであり、使用者が、吸収パッドを交換したり、小用を足したりする際には、吸収パッド用パンツを穿いたままで吸収パッドを男性性器に対して着脱することができるものである。換言すれば、この吸収パッド用パンツは、使用者が穿いた状態で、吸収パッドを装着したり取外すことができるようにしたものである。よって、吸収パッド用パンツを穿く際には、男性性器に吸収パッドを予め装着しておく必要がないことから、吸収パッドに対して何ら留意する必要がなく、また、当然のことながら、吸収パッドがずれるといったような支障を来たさない。
【０００９】
従って、上記構成の吸収パッド用パンツによれば、装着した吸収パッドを安定させて吸収パッドを快適に使用できるようにすることができる。
【００１０】
また、
「男性性器を挿通させる挿通孔と、該挿通孔に挿通した前記男性性器に装着されて漏れた尿を吸収する吸収パッド、を固定する固定手段とを備え、伸縮性を有する布地により形成された吸水パッド用パンツと、
該吸水パッド用パンツよりも伸縮性に劣る布地により形成され、前記吸水パッド用パンツがインナーパンツとして内側に縫着されると共に、使用者の下腹部を被覆する左右の布地が腰周りから股間に渡って分離可能に構成されたアウターパンツと
を備えることを特徴とする吸水パッド用パンツセット」
である。
【００１１】
使用者が、吸水パッド用パンツを装着した上でトランクスタイプやブリーフタイプ等の下着用のパンツ（以下「下着用パンツ」という）を着用しようとすると、一般的な下着用パンツは、股間の下からたくし上げて穿くものであるため、たとえ吸水パッドが吸水パッド用パンツに固定されていたとしても、下着用パンツを穿く際に、装着した吸収パッドがずれてしまう虞がある。また、吸水パッドを着脱する際には、下着用パンツを股間の下に大きくずり下げなければならず、吸水パッドを交換したり、小用を足したりする場合に甚だ不便である。
【００１２】
これに対し、上記構成の吸水パッド用パンツセットは、内側にインナーパンツと外側にアウターパンツとを有する所謂「サポータ付パンツ」のようなものであり、インナーパンツを吸水パッド用パンツとし、アウターパンツを下着用パンツとしたものであるが、アウターパンツを、一般的な下着用パンツとは異なり、使用者の下腹部を被覆する左右の布地が腰周りから股間に渡って分離可能に構成したものである。よって、アウターパンツの左右の布地を分離すれば、インナーパンツである吸水パッド用パンツの挿通孔を大きく露呈させることができ、アウターパンツをずり下げなくても、吸水パッドの交換を良好に行うことができる。従って、吸水パッド用パンツの上から下着用パンツを着用することを要望する使用者に対して、吸水パッドの着脱が簡便な下着用パンツを、吸水パッド用パンツとセットとして提供することができる。
【発明の効果】
【００１３】
上述した通り、本発明によれば、装着した吸収パッドを安定させて吸収パッドを快適に使用できるようにする吸収パッド用パンツ及び吸水パッド用パンツセットを提供することができる。
【発明を実施するための最良の形態】
【００１４】
本発明に係る吸収パッド用パンツ及び吸水パッド用パンツセットの実施形態としての一例を、以下、図面に従って詳細に説明する。
【００１５】
図１に示すように、吸収パッド用パンツ１０は、良好な伸縮性及び通気性を有する布地（一般的なサポータパンツの布地であり、化学繊維等を粗い網目で編んで形成した布地）により形成されたパンツ本体１１により主要部分が構成されている。そして、このパンツ本体１１における男性性器Ｓに対応する部位には、男性性器Ｓを挿通させる長円形（楕円形、卵形や繭形等を含む真円よりも長い丸いみのある形状）の挿通孔１６が設けられている。
【００１６】
また、パンツ本体１１の前側の上端、すなわち、腰周りの前側上端には、折返し片１２が延設されている。この折返し片１２は、その両端部分及びパンツ本体１１の前側上部に取付けられた雌雄のホック１３により、パンツ本体１１の前側上部に重ね合わせて固定されるものである。また、パンツ本体１１における股間部分の両側には、舌片１４が延設されている。
【００１７】
さらに、パンツ本体１１における上記折返し片１２が重ね合わされる部位及び上記挿通孔１６の周辺（より具体的には、挿通孔１６の上部周辺の左右両側の部位）には、面ファスナーの雄側の部材１５（雌雄の面ファスナーにおける多数の係止突起を有する側の部材）が取付けられており、また、上記舌片１４において、パンツ本体１１側に折返した状態でパンツ本体１１に対向する面にも、面ファスナーの雄側の部材１５が取付けられている着。ここで、これらの面ファスナーの雄側の部材１５は、男性性器Ｓに装着された吸収パッド４０を固定する固定手段を構成するものであり、詳細については、後述する。
【００１８】
一方、吸収パッド用パンツセット３０は、上述の吸収パッド用パンツ１０をインナーパンツとして、この吸水パッド用パンツ１０が内面に縫着されたアウターパンツ２０を具備するものとして構成されている。ここで、吸水パッド用パンツ１０は、具体的に、腰周り部分、すなわち、上端部分において、後側略半分がアウターパンツ２０の内面に縫着されている。
【００１９】
アウターパンツ２０は、上記パンツ本体１１よりも伸縮性及び通気性に劣る布地（一般的な下着パンツの布地であり、綿、絹や麻等の自然繊維、或いは、化学繊維等、適宜の繊維を大きく伸縮しないように平織りで織って形成した布地）により形成されており、前側の中央部分、すなわち、使用者の下腹部を被覆する部分において、右側の布地２１と左側の布地２２とが（左右の方向については、便宜上、アウターパンツ２０を前から見た方向として説明する）腰周りから股間に渡って分離可能に構成されている。具体的に、右側の布地２１の上端部分及び左側の布地２２の上端部分の夫々には、雌雄の面ファスナー２３が固着されており、右側の布地２１の側縁部分及び左側の布地２２の側縁部分の夫々には、互いに噛合するチャック２４が縦方向に縫着されている。
【００２０】
雌雄の面ファスナー２３を接合し、チャック２４を閉じると、アウターパンツ２０の腰周りが環状となり、また、インナーパンツである吸収パッド用パンツ１０の挿通孔１６に挿通された男性性器Ｓをアウターパンツ２０の左右の布地２１，２２によって被覆して、通常の下着用パンツと同様な構成となるのであるが、雌雄の面ファスナー２３を分離し、チャック２４を開けることで、アウターパンツ２０の前側中央部分を大きく開放させて、インナーパンツである吸収パッド用パンツ１０の挿通孔１６及びこの挿通孔１６に挿通された男性性器Ｓを大きく露呈させることができる。なお、アウターパンツ２０の上端部分、すなわち腰周りは、帯ゴムを縫着したり、ゴム紐を通したりすることで、伸縮自在としてあり、アウターパンツ２０を、一般的な下着パンツと同様な着用感となるようにしてある。
【００２１】
ところで、吸収パッド４０は、上部が開口する袋状に形成され、内部に漏れた尿を良好に沁み込ませる吸収材を備えたものであり、裏側に挿入孔４４を備え、この挿入孔４４に男性性器Ｓを挿入することで、袋状の吸収パッド４０の内部に男性性器Ｓを収容するものである。そして、本例では、吸水パッド４０の外面が、上述した面ファスナーの雄側の部材１５に接合可能な不織布から構成されており、図２に示すように、男性性器Ｓに装着した状態で吸水パッド４０を吸水パッド用パンツ１０に押し付けると、吸水パッド４０の裏側がパンツ本体１１に設けられた面ファスナーの雄側の部材１５に貼着され、吸水パッド４０の上部が吸水パット用パンツ１０に固定される。また、吸水パッド用パンツ１０の舌片１４を折返して、吸水パッド４０の下部の表側に押し付けると、吸水パッド４０の下部の表側に、舌片１４に設けられた面ファスナーの雄側の部材１５が貼着される。そして、吸水パッド４０の下部は、パンツ本体１１と舌片１４とで挟み込まれるようにして、吸水パッド用パンツ１０に固定される。このように舌片１４にて吸水パッド４０の下部を固定することで、使用に際して、吸水パッド４０の下部が股間にてごわごわする感触を抑えることができる。
【００２２】
また、吸水パッド４０を吸水パッド用パンツに固定した状態で、吸水パッド４０の上端部分が露呈していると、腰周りの前方で吸水パッド４０の上端部分がごわごわして不快感を感じたり、吸水パッド４０の上端部分から捲れて吸水パッド４０の上部が吸水パッド用パンツ１０から剥がれ落ちる虞がある。これに対して、本例では、折返し片１２をパンツ本体１１側に折返してパンツ本体１１の上部に重ね合わせてホック１３により固定することで、この折返し片１２により吸水パッド４０の上端部分を被覆することができるようにしてあり、上述のような支障が生じないようにしてある。
【００２３】
次に、図３に基づいて、吸収パッド４０の詳細について説明する。なお、本例では、吸収パッド４０として、上部が開口する袋状に形成されると共に、内部に、吸水ポリマー等に形成された吸収材４３が配設され、袋の裏面側に、十字状のスリットや円形の貫通孔によって構成された挿入孔４４を備えたものを用いている。このような吸収パッド４０は、上記挿入孔４４に男性性器Ｓを挿入することで男性性器Ｓに装着されるものであるが、これに限らず、図示は省略するが、内部に吸収材４３を備え、上部が開口する有底の筒状に形成され、上部の開口に男性性器Ｓを挿入することで装着されるものであってもよい。
【００２４】
さらに、本例の吸収パッド４０では、一方の面が不織布により形成されると共に他方の面が樹脂シートにより形成され、上記不織布側の面が表となるようにして袋の外面を構成する防水シート４１と、全体が１枚の不織布により形成され、袋の内面を構成する透水シート４２とを有し、防水シート４１と透水シート４２との間に吸収材４３を挟み込んで構成されているのであるが、吸収材４３が、袋の内側において一方の側（使用した状態で表となる側）に設けられており、全体の厚みが薄くなるように構成されている。男性性器Ｓに吸収パッド４０を装着すると、股間に男性性器Ｓ及び吸収パッド４０が存在する状態となることから股間に異物感を生じるのであるが、吸収パッド４０として、厚みの薄いものを用いることで、無用に大きな異物感が生じることがなく、吸収パッド４０の使用に際して不快感を生じ難くすることができる。
【００２５】
また、吸水材４３は、その下端が袋の底から１〜５ｃｍ、より具体的には２〜３ｃｍ、離間した状態で配置されている。よって、袋状の吸水パッド４０の下端部分には吸水材４３が存在せず、吸水パッド４０の下端部分が股間にてごわごわし難い。従って、この点からも、吸収パッド４０の使用に際して不快感を生じ難くすることができる。なお、上述のように、袋の底から吸水材４３を離間させると、吸水パッド４０の袋を構成する防水シート４１の底に尿が溜められることになるが、袋の開口部側に吸水材４３が配置されているため、例えば使用者の動作によって吸水パッド４０が逆さまになり、溜められた尿が吸水パッド４０の袋の開口部側に逆流したとしても、逆流する尿は、吸水材４３に吸収されて吸水パッド４０の開口部から漏れ出ることがない。よって、袋の底から吸水材４３を離間させても、吸水パッド４０の機能に大きな支障を生じることはない。
【００２６】
以上、本発明に係る吸水パッド用パンツ及び吸水パッド用パンツの一例を説明したが、本発明は、上記例に限らない。例えば、吸水パッド用パンツ１０は、アウターパンツ２０とセットで取り扱われるものに限らず、アウターパンツ２０とは別体のものであってもよい。この場合には、吸水パッド用パンツ１０のパンツ本体１１を、サポータタイプのパンツと同様な形態を呈するものとするに限らず、ブリーフタイプの下着パンツや、トランクスタイプの下着パンツと同様な形態を呈するものでしてもよい。
【図面の簡単な説明】
【００２７】
【図１】本発明に係る吸収パッド用パンツ及び吸収パッド用パンツセットの一例を示す斜視図である。
【図２】図１に示した吸収パッド用パンツに吸水パッドを固定した状態を示す斜視図である。
【図３】吸収パッドの一例を示す図面であり、（ａ）は平面図、（ｂ）は底面図、（ｃ）は（ａ）における中央縦断面図である。
【符号の説明】
【００２８】
Ｓ  男性性器
１０  吸水パッド用パンツ
１１  パンツ本体
１２  折返し片
１３  ホック
１４  舌片
１５  面ファスナーの雄側の部材
１６  挿通孔
２０  アウターパンツ
２１  右側の布地
２２  左側の布地
２３  面ファスナー
２４  チャック
３０  吸水パッド用パンツセット
４０  吸水パッド
４１  防水シート
４２  透水シート
４３  吸収材
４４  挿入孔
【図１】
2007117325.tif 000003
【図２】
2007117325.tif 000004
【図３】
2007117325.tif 000005